(57)【要約】【課題】給水路の継ぎ目に板部材を挟み込んで節水を行う際のガタツキを防止でき、さらには少ない種類の材料で節水率をきめ細かく設定できるようにする。【解決手段】給水路２をその継ぎ目２２にて仕切る１枚または積層した板部材部５と、その軸線上の一面側への結合部から軸線まわりに広がって延びる複数の弾性脚６を備え、１枚の板部材７〜１２は、節水穴２１を有し、積層した板部材７〜１２と板部材７ａ、１３〜１５どうしは、節水穴２１を有したものどうし、または節水穴２１を有したものと有しないものとによって給水路２の通路面積に対する総通水面積率を異ならせ、複数の弾性脚６は、給水路２の継ぎ目２２の一方側の通路２３に先端側から圧入されて、板部材部５が前記一方側の通路２３の端部の端面２３ａに当接した位置に安定させるようにした。【選択図】図５
2009102942.tif 000002
【特許請求の範囲】
【請求項１】
給水路の継ぎ目に設けられて給水路を上流側と下流側とに仕切る１枚または複数枚積層した板部材部と、この１枚または複数枚積層した板部材部とその軸線上の一面側で互いに結合されてその結合位置から前方へ前記軸線まわりに広がって延びる複数の弾性脚とを備え、１枚の板部材は、前記給水路の通路面積を狭める節水穴を有し、積層した板部材どうしは、節水穴を有したものどうし、または節水穴を有したものと有しないものとの組み合わせによって前記給水路の通路面積に対する総通水面積率を異ならせるようにしてあり、複数の弾性脚は、前記給水路の継ぎ目の一方側の通路に先端側から軸線まわりへの広がりの弾性的な圧縮を受けて圧入されて、板部材部が前記一方側の通路の端部の端面またはその奥側の環状段部に当接した位置に安定させるようにしたことを特徴とする節水具。
【請求項２】
一方側の通路は、給水方向下流側の通路である請求項１に記載の節水具。
【請求項３】
複数枚積層した板部材の節水穴のあるものどうしは、一方の節水穴に対する他方の節水穴なし部分の重なりと節水穴どうしの重なりとによる、一方の節水穴全体に対する塞がり率の違いによって総通水面積が異なるようにされ、節水穴のあるものとないものとは、一方の節水穴に対する他方の重なりによる塞がり率の違いによって総通水面積が異なるようにされる請求項１または２に記載の節水具。
【請求項４】
板部材は金属製であり、弾性脚は金属製または合成樹脂製である請求項１〜３のいずれか１項に記載の節水具。
【請求項５】
継ぎ目の上流側の通路の段部との間で板部材部を下流側の通路の端面または環状段部に圧接させるばねを備えている請求項１〜４のいずれか１項に記載の節水具。
【発明の詳細な説明】
【技術分野】
【０００１】
本発明は節水具に関し、詳しくは給水路の途中に設けられて給水の流水量を制限して節水する節水具に関するものである。
【背景技術】
【０００２】
従来のこの種の節水具として、給水路の継ぎ目に取付けられて、給水路を上流側と下流側とに仕切る板部材と、この板部材に軸線まわりに回転できるように組み合わされた本体ブロックとを備え、それらの相対回位置の違いによって、板部材の節水穴と本体ブロックの連通穴ないしは連通路との連通数が異なって、給水路の通路面積に対する総通水面積率を変更できるようにしたものが既に知られている（例えば、特許文献１〜３参照。）。
【０００３】
これらの節水具は、シャワーヘッドとホースとの継ぎ目や、蛇口栓と首振りパイプとの継ぎ目などにユーザでも簡単に装着して用い、設定した総通水面積率に応じた給水の流水量を制限して節水が図れる。
【特許文献１】特許第３５４２４３９号公報
【特許文献２】特許第３６７３５６３号公報
【特許文献３】特開２００４−１７６５２４号公報
【発明の開示】
【発明が解決しようとする課題】
【０００４】
ところで、給水路の継ぎ目は多くの場合印籠嵌めのネジ締め構造を持って形成され、上流側の通路下流側の通路との間にできる隙間に節水具の板部材を挟み込んで保持するのが一般的である。しかし、この隙間の幅は一定寸法に管理されないために、上流側の通路と下流側の通路とが限度一杯までネジ締めして継がれても、板部材との間に遊びができ、水圧は板部材を下流側の通路に押し付けるがその反動や供給水の乱れなどによってガタツキを生じて異音を発生することがときとしてある。また、ブロック体はボリュームのある成形品となり、連通穴や連通路は成形しやすくし、また通水抵抗を小さくするため大きく設けられるので、穴を多く空けられず、板部材との相対回転によって連通し合う数の種類が限られる。このため、節水率をユーザの希望に合わせてきめ細かく設定するには多種類の節水具が必要になるという問題がある。
【０００５】
本発明の目的は、給水路の継ぎ目に板部材を挟み込んで節水を行う際のガタツキを防止できる節水具を提供することにあり、さらには少ない種類の板部材で節水率をきめ細かく設定できる節水具を提供することを目的とするものである。
【課題を解決するための手段】
【０００６】
上記のような目的を達成するために、本発明の節水具は、給水路の継ぎ目に設けられて給水路を上流側と下流側とに仕切る１枚または複数枚積層した板部材部と、この１枚または複数枚積層した板部材部とその軸線上の一面側で互いに結合されてその結合位置から前方へ前記軸線まわりに広がって延びる複数の弾性脚とを備え、１枚の板部材は、前記給水路の通路面積を狭める節水穴を有し、積層した板部材どうしは、節水穴を有したものどうし、または節水穴を有したものと有しないものとの組み合わせによって前記給水路の通路面積に対する総通水面積率を異ならせるようにしてあり、複数の弾性脚は、前記給水路の継ぎ目の一方側の通路に先端側から軸線まわりへの広がりの弾性的な圧縮を受けて圧入されて、板部材部が前記一方側の通路の端部の端面またはその奥側の環状段部に当接した位置に安定させるようにしたことを特徴としている。
【０００７】
このような構成では、板部材部が少なくとも１枚の板部材を有して、この板部材への軸線上での結合部から前方へ軸線まわりに広がって延びる複数の弾性脚の、給水路における継ぎ目の一方側通路への、広がりを圧縮されながらの圧入を伴い、板部材部を一方側の通路の端面ないしはその奥の環状段部に当接させることにより、板部材部が下流側の通路端面ないしはその奥の環状段部に遊びなく当てがわれるのと同時に、給水路の一方側の通路に圧入されている複数の弾性脚が前記圧入時に受ける圧縮による弾性復元力によって一方側の通路の内面に圧接して強い摩擦力を発揮し、また弾性脚が金属で先端が鋭利なエッジを有している場合の食い込みによる引っ掛かりなども場合により得られるので、他方側の通路と一方側の通路との継ぎ目部内側の隙間幅が板部材部の厚みよりも大きい場合でも、板部材部が水圧に対する反動や流水の乱れによってガタつくのを防止することができる。
【０００８】
さらに、板部材部の板部材が１枚である場合は、それに有した通水抵抗の小さな節水穴による総開口面積の給水通路の通路断面積に対する割合が総通水面積率となって、１００％未満に設定することで、設定に応じた率での節水ができる。１枚の板部材の使い分けできめ細かに節水率を変えるには多種類の板部材が必要である。しかし、板部材部は、積層する板部材どうしを、節水穴を有したものどうし、または節水穴を有したものと有しないものとの組み合わせによって前記給水路の通路面積に対する総通水面積率を異ならせることにより、薄く穴空けも容易な板部材の積層数および積層する板部材の種類との組み合わせによって、板部材の種類を少なくして総通水面積をきめ細かく設定することができるし、板部材は節水穴のないものや少ない単純なものも含み、穴空けも簡単であるので金属製ないしは合成樹脂製などとする弾性脚と併せ安価に製作できる。
【０００９】
また、一方側の通路は、給水方向下流側の通路であるものとすることができる。
【００１０】
このような構成では、板部材部に対する流水の動圧が、弾性脚を挿入している下流側の通路の端面またはその奥の環状段部に板部材部を押し付ける向きに働くので、給水通路の継ぎ目における板部材部のガタツキがさらに抑えられる。
【００１１】
また、複数枚積層した板部材の節水穴のあるものどうしは、一方の節水穴に対する他方の節水穴なし部分の重なりと節水穴どうしの重なりとによる、一方の節水穴全体に対する塞がり率の違いによって総通水面積が異なるようにされ、節水穴のあるものとないものとは、一方の節水穴に対する他方の重なりによる塞がり率の違いによって総通水面積が異なるようにされるものとすることができる。
【００１２】
このような構成では、板部材部は、節水穴のある板部材どうしの大きさや輪郭の異なり、節水穴の配置の異なりによって、節水穴のある板部材の節水穴の大きさや配置の違い、および節水穴のある板部材に対する節水穴のない板部材の小さい程度および輪郭形状の違いによって、より少ない種類の板部材どうしでより多くの通水面積率を設定することができる。
【００１３】
また、継ぎ目の上流側の通路の段部との間で板部材部を下流側の通路の端面または環状段部に圧接させるばねを備えているものとすることができる。
【００１４】
このような構成では、板部材部の流水中での安定性をさらに高められるし、給水路の継ぎ目内側の上流側の通路と下流側の通路との間に隙間が形成されない場合でも、下流側の通路の端面または環状断面に対して安定させられる。
【発明の効果】
【００１５】
本発明の節水具によれば、板部材部は少なくとも１枚の板部材を有して、これに結合した弾性脚の、給水路の継ぎ目の一方側通路への圧入を伴い、板部材を一方側の通路の端面ないし環状段部に当接させるだけでその当接状態に安定させられ、給水通路の継ぎ目の隙間幅が大きい場合や隙間がない場合でも、板部材が水圧に対する反動や流水の乱れによってガタつくのを防止することができる。また、１枚の板部材に有した節水穴の総開口面積の給水通路の通路断面積に対する割合を１００％未満に設定してそれに応じた率での節水ができるし、積層する板部材どうしを、節水穴を有したものどうし、または節水穴を有したものと有しないものとの組み合わせによって、それらの大きさや輪郭形状の違いも含めて、板部材の種類を少なくして総通水面積をきめ細かく設定することができる。さらに、板部材部は節水穴のないか少ない単純なものを含み、穴空けも簡単であるので金属製ないしは合成樹脂製などとする弾性脚と併せ安価に製作できる。
【発明を実施するための最良の形態】
【００１６】
以下、本発明の実施の形態に係る節水具について図１〜図１６を参照しながら説明する。本実施の形態は、例えば、図１、図２に示すジャワーヘッド１への給水路２や図３に示す蛇口栓３１から首振り部３２への給水路２、図４に示すようなフラッシュバルブ３への給水路２などの継ぎ目２２に節水具２０を設けて節水を行う。節水具２０は図１、図３に示すように、上流側と下流側とに仕切る１枚または複数枚積層した板部材部５と、この１枚または複数枚積層した板部材部１とその軸線上の一面側で互いに結合されてその結合位置から前方へ前記軸線まわりに広がって延びる複数の弾性脚６とを備えている。板部材部１を１枚で構成する場合、図１５に示す板部材７、８、９、１０や図１６に示す板部材１１、１２のように、給水路２を上流側と下流側とに仕切る大きさを有した上で、それら給水路２の通路面積に対する通水面積を狭める節水穴２１を有したものとする。図１５に示す板部材７、８、９、１０は、図  １、図  ２に示すシャワーヘッド１への給水路２の途中を仕切る場合に対応した外径を持ち、図１６に示す板部材１１、１２は図４に示すフラッシュバルブ３への給水路の途中を仕切る場合に対応した外径を持っている。これに対し、積層した板部材部５とする場合は、図１５に示すような板部材７、１３の組、板部材８、１３の組、板部材９、１３の組、板部材１０、１３の組、図  １６に示すような板部材１２、１３の組、板部材１２、１４の組、板部材７ａ、１２、１３の組、板部材７ａ、１２、１４の組、板部材７ａ、１２、１５の組のように、節水穴２１を有したものどうし、または節水穴２１を有したものと有しないものとの組み合せによって、給水路２の通路面積に対する総通水面積率を異ならせるようにする。一方、複数の弾性脚６は、給水路２の図１、図２、図３、図４に示すような各種継ぎ目２２の一方側の通路２３に、図１、図３に示すように先端側から軸線まわりへの広がりの弾性的な圧縮を受けて圧入されて、板部材部５が一方側の通路２３の端部の端面２３ａまたはその奥側の環状段部に当接した位置に安定させるようにしている。
【００１７】
このように、板部材部５が、図１５に示すような板部材７、８、９、１０や図１６に示す板部材１１、１２の少なくとも１枚を有して、この板部材部５への軸線上での結合部２４から前方へ軸線まわりに広がって延びる複数の弾性脚６の、図１、図３に示すように給水路２における継ぎ目２２の一方側通路２３への、広がりを圧縮されながらの圧入を伴い、板部材部５を一方側の通路２３の端面２３ａないしはその奥の環状段部に当接させることにより、板部材部５が一方側の通路端面２３ａないしはその奥の環状段部に遊びなく当てがわれるのと同時に、給水路２、４の一方側の通路２３に圧入されている複数の弾性脚６が前記圧入時に受ける圧縮による弾性復元力によって一方側の通路２３の内面に圧接して強い摩擦力を発揮し、また弾性脚６が金属で先端が鋭利なエッジを有している場合の食い込みによる引っ掛かりなども場合により得られるので、他方側の通路２５と一方側の通路２３との継ぎ目２２の隙間２４の幅Ｂが板部材部５の厚みよりも大きい場合でも、板部材部１が水圧に対する反動や流水の乱れによってガタつくのを防止することができる。前記のような鋭いエッジは弾性脚６を突出方向に向かって脚幅が広がる図示例のような末広がりな形状にするのが好適である。
【００１８】
さらに、板部材部５が１枚で構成する場合は、それに有した節水穴２１による総開口面積の給水通路２、４における通路断面積に対する割合が総通水面積率となり、これを１００％未満に設定することで、設定に応じた率での節水ができる。この場合、図１５に示すような板部材７、８、９、１０や図１６に示す板部材１１、１２などの１枚での使い分けできめ細かに節水率を変えるには多種類必要となる。しかし、図１５に示すような積層した板部材７、１３の組、板部材８、１３の組、板部材９、１３の組、板部材１０、１３の組、図１６に示すような板部材１２、１３の組、板部材１２、１４の組、板部材７、１２、１３の組、板部材７、１２、１４の組、板部材７、１２、１５の組のように、節水穴２１を有したものどうし、または節水穴２１を有したものと有しないものとの組み合わせによって、給水路２、４の通路面積に対する総通水面積率を異ならせることにより、薄く穴空けも容易な板部材部５の積層数および積層するものの種類の組み合わせによって、積層し合うものの種類数を少なくして総通水面積をきめ細かく設定することができるし、板部材部５は節水穴２１のないワッシャタイプや節水穴２１の少ない単純なものも含むし、穴空けも簡単であるので金属製ないしは合成樹脂製などとする弾性脚６と併せ安価に製作できる。
【００１９】
因みに、図１、図２に示す給水路２に用いる図１５に示す各例の板部材部５により得られる節水率の変化を示せば、図示するグラフの通りであり、図１５に示すような２ｍｍ径とした節水穴２１の数の違いを持った４枚の板部材７、８、９、１０の単枚での使い分けと、それらより小さいものとして積層しそれらの節水穴２１を図示するように異なって塞ぐ節水穴２１のない１枚の板部材１３の組み合わせ使用と、によって、ほぼ直線状に変化する８通りの節水率が実現している。
【００２０】
また、図４に示す給水路４に用いる図  に示す各例の板部材部５により得られる節水率の変化を示せば、図示するグラフの通りであり、図１６に示す６ｍｍ径、５．５ｍｍ径、５．０ｍｍ径と大きさの異なる節水穴２１を４個もった３種類の板部材１１と、２ｍｍ径の節水穴２１を図  に示す板部材７の節水穴２１と同じ６個の配設とその外まわり域にさらに１２個配設した板部材１２との単枚での使い分け、この板部材１２に、節水穴２１のない図  に示す板部材１３と、この板部材１３よりもやや大きな節水穴２１のない板部材１４とを使い分けての組み合わせ、さらに、これら板部材１２、１３、１４の組合わせに、板部材１２の中央部の６つの節水穴２１と同じ配列で連通し合う６つの節水穴２１を持つとともに、板部材１２の外まわりに１２個配設した節水穴２１の内側半部を塞ぐ外周部７ａ１を持った板部材７ａのさらなる組み合わせと、によって、やや直線状に変化する８通りの節水率が実現している。
【００２１】
ここに、複数枚積層した板部材部５の節水穴２１のあるものどうしは、図１６に示す板部材１２と７ａとの組み合わせ例が示すように、一方の節水穴２１に対する他方の節水穴なし部分である外周部７ａ１の重なりと節水穴２１どうしの重なりとによる、一方の節水穴２１全体に対する塞がり率の違いによって総通水面積が異なるようにされ、節水穴２１のあるものとないものとは、図１５に示す板部材７、１３の組み合わせ例、板部材一８、１３の組み合わせ例、板部材９、１３の組み合わせ例、板部材１０、１３の組み合わせ例、図１６に示す板部材１２、１３の組み合わせ例、板部材１２、１４の組み合わせ例、板部材７ａ、１２と、板部材１３との組み合わせ例、板部材７ａ、１２と、板部材１４との組み合わせ例、板部材７ａ、１２と、板部材１５との組み合わせ例が示すように、一方の節水穴２１に対する節水穴２１を持たない他方の重なりによる塞がり率の違いによって総通水面積が異なるものとされるので、節水穴２１のある板部材１２，７ａどうしの大きさや輪郭の異なり、節水穴２１の配置の異なりによって、一方の節水穴２１のある板部材７、８、９、１０、１１、１２、７ａに対する他方の節水穴のない板部材１３、１４、１５の小さい程度および輪郭形状の違いによって、より少ない種類の板部材どうしでより多くの通水面積率を設定することができる。
【００２２】
ところで、以上のような節水具２０は、図１に示す例では給水路２のホース３３とシャワーヘッド１との継ぎ目２２に設け、図２に指す例では給水路２のシャワーヘッド１とホース３３との間に接続する手元操作用のストップシャワーアダプター３５とホース３３との継ぎ目２２に設け、図３に示す例では蛇口栓３１と首振りパイプ３２との継ぎ目２２に設け、図４に示す例ではフラッシュバルブ３と下流接続パイプ３４との継ぎ目２２に設けてある。なお、節水具２０はシャワーヘッド１への給水路２ではホース３３と図示しない元栓側との継ぎ目に設けることもでき、この場合節水具２０による流水量制限により生じる上流側の昇圧負荷がホース３１に働かない利点がある。しかし、これに限られることはなく節水具は、各種給水路２の途中に設けて有効である。
【００２３】
いずれにしても、節水具は、図１、図２、図３、図４に図示するように、一方側の通路２３は、給水方向下流側の通路とすれば、板部材部５に対する流水の動圧が、弾性脚６を挿入している下流側の通路２３の端面２３ａまたはその奥の環状段部に板部材部５を押し付ける向きに働くので、給水通路２、４の継ぎ目２２における板部材部５のガタツキがさらに抑えられる。
【００２４】
また、図４に示す例では、特に、継ぎ目２２の上流側の通路２５の段部２６との間で板部材部５を下流側の通路２３の端面２３ａまたは環状段部に圧接させるばね２７を備えたものとしている。これにより、板部材部５の流水中での安定性をさらに高められるし、給水路４の継ぎ目２２が図示例のように上流側の通路２５と下流側の通路２３との間に隙間２４が形成されない場合でも、下流側の通路の端面または環状断面に対して安定させられる。
【００２５】
図１に示す例、図２に示す例、図３に示す例は、図１５に示す板部材９、１３の組み合わせによる板部材部５を持つ節水具を使用しており、図５、図６に示すように板部材部５および弾性脚６共に金属製としてある。板部材９、１３は中央に結合穴４１を持ち、弾性脚６は基板部６ａから３本が延びるように板金加工されたもので基板部６ａの中央に結合穴４２を持ち、それら結合穴４１、４２に通したボルト４３とこれに螺合したナット４４とを用いた締結によって互いに結合され一体化されている。このような板部材部５と弾性脚６との結合は、図１５、図１６に示す単板タイプ、複数の積層タイプのいずれにも同様に適用できる。図７、図８に示す例では、ボルト、ナットによる締結に代えて、リベット４５によるカシメによって板部材部５と弾性脚６とを結合しており、ボルト、ナットによる場合に万一にも生じる緩みを阻止しやすい。
【００２６】
図９、図１０に示す例は、図１５に示す板部材７、１３の組み合わせによる板部材部５を持つ節水具を使用しており、図９、図１０に示すように板部材部５を金属製、弾性脚６を基部６ｂまわりに一体成形した樹脂製とし、板部材７、１３および基部６ｂの中央に設けた締結穴４１、４２に通したボルト４３とこれに螺合したナットお４４とを用いた締結によって互いに結合され一体化している。図３の例はこの樹脂タイプの節水具を用いている。よび締結穴共に金属製としてある。板部材９、１３は中央に結合穴４１を持ち、弾性脚６は基板部６ａから３本が延びるように板金加工されたもので基板部６ａに結合穴４２を持ち、それら結合穴４１、４２に通したボルト４３とナット４４とを用いた締結によって互いに結合され一体化されている。図１１、図１２に示す例では、ボルト、ナットに代えて、基部６ａの中央から弾性脚６とは反対の側に突出するように一体成形した結合軸６ｃを板部材７、１３の締結穴４１に通して、締結軸６ｃの突出端を加熱で押圧して潰すカシメによって互いを結合している。
【００２７】
図１３、図１４に示す例は、図  に示す板部材７ａ、１２、１４の組み合わせに補助ワッシャ５１、補助ナット５２を追加して用い、金属製の弾性脚６とボルト４３、ナット４４、補助ナット５２による締結にて結合し一体化しており、節水穴２１の具体的な通水制限状態が見られる。
【００２８】
最後に、単枚で使い分けられる板部材７、８、９、１０、１１、１２に対して積層するように使い分けられる板部材１３、１４、１５の径が小さいことにより、それら積層によっても板部材部５の隙間２４への挟み込部の厚みが変化しないので、隙間２４の幅よＢりも厚くなってネジの締め代が所定量得られなくなるような問題を回避することができる。
【産業上の利用可能性】
【００２９】
本発明の節水具は、給水路の途中に、その継ぎ目を利用して装着して、給水路の通路断面関に対する通水面積を制限した節水ができる。
【図面の簡単な説明】
【００３０】
【図１】本発明に係る節水具をシャワーヘッドとホースとの継ぎ目に設けた例を示す要部を断面して見た側面図である。
【図２】節水具をホースとストップシャワーアダプターとの継ぎ目に設けた例を示す分解斜視図である。
【図３】節水具を蛇口栓と首振りパイプとの継ぎ目に設けた例を示す要部を断面して見た側面図である。
【図４】節水具そフラッシュバルブと下流接続パイプとの継ぎ目に設けた例を示す断面図である。
【図５】節水具の１つの例を示す斜視図である。
【図６】図５の節水具の断面図である。
【図７】図５の節水具の変形例を示す斜視図である。
【図８】図７の節水具の断面図である。
【図９】節水具の別の例を示す斜視図である。
【図１０】図９の節水具の断面図である。
【図１１】図９の節水具の変形例を示す斜視図である。
【図１２】図１１の節水具の断面図である。
【図１３】節水具の他の例を示す斜視図である。
【図１４】図１３の節水具の断面図である。
【図１５】シャワーヘッドへの給水路に用いる節水具の８通りの節水を行う板部材部例とそれらによる節水率との関係を示すグラフである。
【図１６】フラッシュバルブからの給水路に用いる節水具の８通りの節水を行う板部材部例とそれらによる節水率との関係を示すグラフである。
【符号の説明】
【００３１】
１  シャワーヘッド
２  給水路
３  フラッシュバルブ
５  板部材部
６  弾性脚
６ａ  基板
６ｂ  基部
６ｃ  結合軸
７〜１５  板部材
２０  節水具
２１  節水穴
２２  継ぎ目
２３、２５  通路
２３ａ  端面
２４  隙間
２６  段部
２７  ばね
３１  蛇口栓
３２  首振りパイプ
３３  ホース
３４  下流接続パイプ
３５  ストップシャワーアダプター
４１、４２  結合穴
４３  ボルト
４４  ナット
４５  リベット
５１  補助ワッシャ
５２  補助ナット
【図１】
2009102942.tif 000003
【図２】
2009102942.tif 000004
【図３】
2009102942.tif 000005
【図４】
2009102942.tif 000006
【図５】
2009102942.tif 000007
【図６】
2009102942.tif 000008
【図７】
2009102942.tif 000009
【図８】
2009102942.tif 000010
【図９】
2009102942.tif 000011
【図１０】
2009102942.tif 000012
【図１１】
2009102942.tif 000013
【図１２】
2009102942.tif 000014
【図１３】
2009102942.tif 000015
【図１４】
2009102942.tif 000016
【図１５】
2009102942.tif 000017
【図１６】
2009102942.tif 000018